【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
デジタルネットワークによって相互接続されたスキャナ、プリンタ、およびユーザワークステーションのようなホストコンピュータのいずれかの間で、文書に関連するデジタルデータを安全に伝送する方法であって、
送信ステーションで、
データソースを介して文書ファイルを生成するステップと、
オペレータによって、ユーザが定義した文字列を入力するステップと、
前記ユーザ定義文字列に基づいて、暗号化キーを自動的に形成するステップと、
前記暗号化キーを用いて、暗号化された文書ファイルを作成するように、前記文書ファイルを暗号化するステップと、
暗号化された文書ファイルを含む送信ファイルを形成するステップと、
前記送信ファイルを受信ステーションに送信するステップと、
前記受信ステーションで、
受信した送信ファイルを格納するステップと、
オペレータによって、同じユーザ定義文字列を入力するステップと、
前記ユーザ定義文字列に基づいて、復号キーを自動的に形成するステップと、
前記復号キーを用いて、前記暗号化された文書ファイルを復号された文書ファイルに復号するステップとを含み、
どの復号クルーも送信ファイルに組み込まず、前記ユーザ定義文字列のいかなる妥当性検査なしに、受信ステーションで方法ステップを実施することを特徴とする方法。
【請求項２】
送信ステーションで、
文書ファイルに関連したメタデータを含むがどの復号クルーも含まない、第１の部分および第２の部分を有する追加ファイルを形成するステップと、
文書ファイルの暗号化に使われたのと同じ暗号化キーを用いて、追加ファイルの前記第１および第２の部分の一方のみを暗号化するステップと、及び、
送信ファイルを形成するステップにおいて、送信ファイルに追加ファイルも含めることとをさらに含む請求項１に記載の方法。
【請求項３】
送信ステーションが、送信ファイルを２つの部分に分割し、最初に送信ファイルの１つの部分のみを受信ステーションに送信し、
オペレータが前記送信ファイルを選択すると、受信ステーションが、送信ファイルの残りの部分を送信するための要求を送信ステーションに送る請求項１または２に記載の方法。
【請求項４】
送信ステーションが、基本データ項目のレベルについて効果的な分割アルゴリズムを用いて、送信ファイルを分割する請求項１、２、または３に記載の方法。
【請求項５】
送信ステーションが、ブロック置換などによって、送信されるファイルをスクランブルする請求項３に記載の方法。
【請求項６】
送信ステーションが、要求を行う受信ステーションの識別を調べ、要求ステーションが認証された場合のみ、要求された送信ファイル部分を送信する請求項３に記載の方法。
【請求項７】
受信ステーションが、送信ファイルの復号、および揮発性メモリのみにある復号された文書ファイルのどの処理も実施する請求項１に記載の方法。
【請求項８】
受信ステーションが、オペレータによって、前記復号文字列を入力するローカルなユーザインターフェースを有するプリンタである請求項２に記載の方法。
【請求項９】
前記プリンタが、追加ファイルの暗号化されていない部分を抽出し、そこに含まれるデータを用いて、ローカルなユーザインターフェースで、関連する文書ファイルを、オペレータによって印刷のために選択されるように提示する請求項８に記載の方法。
【請求項１０】
送信ステーションが、安全な印刷データ伝送のための任意選択による設定を有するプリンタドライバを含み、安全なデータ伝送が強制的に選択されるように、ネットワークの中心から、どの任意選択セキュリティ設定も支配することを更に含む請求項８に記載の方法。
【請求項１１】
送信ステーションが、最初に、追加ファイルの暗号化されていない部分のみをプリンタに送信し、
受信ステーションが、暗号化されていない部分に含まれるデータを用いて、関連する文書ファイルを、さらなる処理のためにオペレータによって選択されるようにローカルなユーザインターフェースで提示し、
オペレータが文書ファイルを選択すると、受信ステーションが、関連する送信ファイルを送信するための要求を送信ステーションに送る請求項３または８に記載の方法。
【請求項１２】
前記送信ステーションが、ローカルなユーザインターフェースを有するスキャナであり、スキャン処理に先立って暗号化文字列を入力するようオペレータに要求する請求項２に記載の方法。
【請求項１３】
スキャナ、プリンタ、又は、ユーザワークステーションのようなホストコンピュータなどの、少なくとも２つの画像処理装置を含み、そのような装置の間で文書に関連するデジタルデータを安全に伝送するように適合されたシステムであって、
オペレータによって、ユーザが定義した文字列を入力するユーザインターフェースと、
前記ユーザ定義文字列に基づいて、暗号化キーを自動的に形成するキー形成装置と、
前記暗号化キーを用いて、暗号化された文書ファイルを作成するように、文書ファイルを暗号化する暗号化モジュールと、
暗号化された文書ファイルを含む送信ファイルを形成するファイル形成装置と、
前記送信ファイルを受信ステーションに送信する送信機と、
を含む送信ステーション、及び、
送信ステーションから送信ファイルを受信する受信機と、
受信した送信ファイルを格納する記憶ユニットと、
オペレータによって、ユーザ定義文字列を入力するユーザインターフェースと、
前記ユーザ定義文字列に基づいて、復号キーを自動的に形成する第２のキー形成装置と、
前記復号キーを用いて、前記暗号化された文書ファイルを復号された文書ファイルに復号する復号モジュールと、
を含む受信ステーションとを備え、
受信ステーションが、前記受信ステーションのユーザインターフェースで入力された前記ユーザ定義文字列の妥当性を検査するどの手段も含まないことを特徴とするシステム。
【請求項１４】
送信ステーションが、
文書ファイルに関連したメタデータを含むがどの復号クルーも含まない、第１の部分および第２の部分を有する追加ファイルを形成するモジュールをさらに含み、
暗号化モジュールが、文書ファイルの暗号化に使われたのと同じ暗号化キーを用いて、追加ファイルの前記第１および第２の部分の一方のみも暗号化し、
前記ファイル形成装置が、送信ファイルに追加ファイルを含める請求項１３に記載のシステム。
【請求項１５】
送信ステーションが、送信ファイルを２つの部分に分割するファイル分割装置を含み、
前記送信機が、最初に送信ファイルの１つの部分のみを受信ステーションに送信し、
受信ステーションが、受信ステーションのユーザインターフェースにおいて送信ファイルをオペレータが選択すると、送信ファイルの残りの部分を送信するために、要求を送信ステーションに送る要求装置を含む請求項１３または１４に記載のシステム。
【請求項１６】
復号された文書ファイルを処理するために指定された受信ステーションの復号モジュールおよびどのモジュールも、揮発性メモリ中でのみ動作する請求項１３に記載のシステム。
【請求項１７】
受信ステーションがプリンタである請求項１３から１６のいずれか一項に記載のシステム。
【請求項１８】
送信ステーションが、受信ステーションへの印刷データの前記安全な伝送に使うため以外の選択肢を残さないようにプログラミングされることができるプリンタドライバを含む請求項１７に記載のシステム。
【請求項１９】
送信ステーションがスキャナである請求項１３から１７のいずれかに記載のシステム。